(57)【要約】      （修正有）【課題】産業廃棄物として最終処分によって処理されることとなる廃タイルカーペットを、リサイクルよりも環境負荷を低く抑えてリユースし、利用の途が限られている杉や桧の間伐材を床の仕上材として利用する杉又は桧輪切カーペット建材を提供する。【解決手段】杉又は桧の角材を輪切りにした複数の木片（１０）と、タイルカーペット（２０）と、から構成され、前記タイルカーペット（２０）を下地材として複数の前記木片（１０）を列設し、前記タイルカーペット（２０）と前記木片（１０）とが、前記木片（１０）の変形に対応可能とするために、接着剤を使用せずに物理的なステープル（４０）、釘、ビスの何れかにより一体を成す手段を採用する床材とした。【選択図】図３
0003211735.tif 000002
【実用新案登録請求の範囲】
【請求項１】
杉又は桧の角材を輪切りにした複数の木片（１０）と、
タイルカーペット（２０）と、
から構成され、
前記タイルカーペット（２０）を下地材として複数の前記木片（１０）を列設することを特徴とする杉又は桧輪切カーペット建材（１）。
【請求項２】
前記タイルカーペット（２０）が廃棄されるものをリユースするものであることを特徴とする請求項１に記載の杉又は桧輪切カーペット建材（１）。
【請求項３】
前記タイルカーペット（２０）の寸法が５００ｍｍ×５００ｍｍであって、
前記木片（１０）が７５角、９０角、又は１０５角の何れかの角材から得たものであることを特徴とする請求項１又は請求項２に記載の杉又は桧輪切カーペット建材（１）。
【請求項４】
前記タイルカーペット（２０）の寸法が４５０ｍｍ×４５０ｍｍであって、
前記木片（１０）が１２０角の角材から得たものであることを特徴とする請求項１又は請求項２に記載の杉又は桧輪切カーペット建材（１）。
【請求項５】
前記タイルカーペット（２０）と前記木片（１０）とが、
前記木片（１０）の変形に対応可能とするために、接着剤を使用せず物理的なステープル（４０）、釘、ビスの何れかにより一体を成していることを特徴とする請求項１から請求項４に記載の杉又は桧輪切カーペット建材（１）。
【請求項６】
前記タイルカーペット（２０）の変形を規制するとともに厚さ調整を兼ねた板材（３０）を備えたことを特徴とする請求項１から請求項５の何れかに記載の杉又は桧輪切カーペット建材（１）。
【請求項７】
前記木片（１０）の木口面を上面に配置し、
該上面から底面までの高さ方向が前記木片（１０）の水平方向における矩形の一辺の長さよりも長い寸法を有することを特徴とする請求項１から請求項６の何れかに記載の杉又は桧輪切カーペット建材（１）。
【請求項８】
前記木片（１０）が防腐材加圧注入処理されたものであることを特徴とする請求項１から請求項７の何れかに記載の杉又は桧輪切カーペット建材（１）。
【考案の詳細な説明】
【技術分野】
【０００１】
本考案は、建材の技術に関し、詳しくは、弾力性のあるタイルカーペットを下地とし、その上面に小径間伐材の木片を複数敷設し、廃タイルカーペットや小径間伐材を新たな床材として機能させることができる建材の技術に関するものである。
【背景技術】
【０００２】
約３０年前に開発されたタイルカーペットは、所定の寸法で手軽に張り替えることができ、事務所や店舗など、基本的に靴を履いたまま行動する空間の床材に用いられ、汚れた場合には部分的な取替えが可能であって、素材やデザインなど多種多様なものが広く利用されている。特に、使用される場所の目的に応じて汚れが目立ちにくいものや、クッション性の高いもの、或いは生活音などを考慮したものなど、特殊なものも存在する。
【０００３】
これらのタイルカーペットは、接着剤を利用しない置き敷き込みであるため、容易に交換可能であるとともに、現在、建物の建て替えやリニューアルで大量に廃棄されているが、廃タイルカーペットは、最終処分場で処理される産業廃棄物であり、その処理はコストのかかる建材である。また、タイルカーペットは、下地材の樹脂シート等と上部のパイルとを分離するために、樹脂シートを削って再利用するなど、手間と時間もかかり、リサイクルするにはエネルギー負荷が高い。このようなエネルギー負荷の高いタイルカーペットのリサイクルに替えて、エネルギー負荷の無い廃タイルカーペットをリユースする建材の提供が求められているといえる。
【０００４】
更に、利用の途が求められているものとして、杉や桧の間伐材がある。間伐材は、搬出して製品化しても採算が合わないことから、搬出されずにその場に放置されることが多く、また、搬出してもバイオマス燃料として燃やされてしまうことが多い。従って、杉や桧の間伐材を有効に活用できる建材へと変換し、間伐材の価値を向上できる技術が求められているといえる。なお、間伐材に関わらず、一般的に市場に流通している木材を有効活用できる建材へと変換し、わが国の森林資源の価値を向上できる技術が求められているともいえる。
【０００５】
上記の問題を解決すべく、従来からも種々の技術が提案されている。例えば、特許文献１には、発明の名称を「床用、壁用、天井用、又は家具用のパネル又は健在、該パネル又は健在の製造方法及び該パネル保持具」とする技術が公知技術となっている（特許文献１参照）。具体的には「ＭｇＯとＭｇＣｌ２との混合比が約１：２．２乃至１：２．８、好ましくは約１：２．５５であるマグネシアセメントからなる、パネル、特に壁又は家具の表面材用パネル」としたものである。しかしながら、係る発明は集合させるブロックの特性を限定するものであって、本考案では集合させる素材として利用しやすいものの選択と配置により、容易に加工できコストのかからない素材の提供するものであり、解決課題及びその解決手段が大きく異なる。
【０００６】
また、発明の名称を「木質ブロック、木質ブロック舗装および木質パネル」とする技術も提案され、すでに公知技術となっている（特許文献２参照）。具体的には「木質ブロックを、年輪が現われた断面を意匠面として有する材木片に、樹脂含浸を施したものとすることで、意匠面の年輪模様を崩すことなく、木質ブロックに必要な強度を得て、また、樹脂塗膜によって、意匠面に珪化木の風合いを持たせることが可能となり、年輪模様の風合いを十分に活かした木質ブロックを提供する」ものである。係る技術は、色彩を用いることで人を乗せる位置を明確にし、前記の課題を解決するものである。しかしながら、係る発明は、樹脂等の固定材を用いて全体を形成している点で、このような固定材を費用しない本考案とでは、課題を解決する技術的手段が異なっている。
【先行技術文献】
【特許文献】
【０００７】
【特許文献１】特表平１０−５０６０８６
【特許文献２】特開２００４−１７４９８６
【考案の概要】
【考案が解決しようとする課題】
【０００８】
本考案に係る杉又は桧輪切カーペット建材は、産業廃棄物として最終処分によって処理されることとなる廃タイルカーペットを、リサイクルよりも環境負荷を低く抑えてリユースし、一般的に市場に流通する杉や桧の木材を床の仕上材として利用する技術の提供を課題とするものである。
【課題を解決するための手段】
【０００９】
本考案は、杉又は桧の角材を輪切りにした複数の木片と、タイルカーペットと、から構成され、前記タイルカーペットを下地材として複数の前記木片を列設する構成を採用した。
【００１０】
また、本考案は、前記タイルカーペットが廃棄されるものをリユースする構成を採用することもできる。
【００１１】
また、本考案は、前記タイルカーペットの寸法が５００ｍｍ×５００ｍｍであって、前記木片が７５角、９０角、又は１０５角の何れかの角材から得たものである構成を採用することもできる。
【００１２】
また、本考案は、前記タイルカーペットの寸法が４５０ｍｍ×４５０ｍｍであって、前記木片が１２０角の角材から得たものである構成を採用することもできる。
【００１３】
また、本考案は、前記タイルカーペットと前記木片とが、前記木片の変形に対応可能とするために、接着せず物理的なステープル、釘、ビスの何れかにより一体を成している構成を採用することもできる。
【００１４】
また、本考案は、前記タイルカーペットの変形を規制するとともに厚さ調整を兼ねた板材を備えた構成を採用することもできる。
【００１５】
また、本考案は、前記木片の木口面を上面に配置し、該上面から底面までの高さ方向が前記木片の水平方向における矩形の一辺の長さよりも長い寸法を有する構成を採用することもできる。
【００１６】
また、本考案は、前記木片が防腐材加圧注入処理されたものである構成を採用することもできる。
【考案の効果】
【００１７】
本考案に係る杉又は桧輪切カーペット建材によれば、タイルカーペットの廃材をリサイクルに替わってリユース可能であり、また、産業廃棄物の排出も抑制でき、コスト削減とエネルギー負荷の低減に貢献するという優れた効果を発揮するものである。
【００１８】
また、本考案に係る杉又は桧輪切カーペット建材によれば、一般的に市場に流通する木材や、利用の途が限られている杉や桧の間伐材を、調温性、調湿性、吸水性、吸音性に優れる床材として提供が可能となるという優れた効果を発揮するものである。
【００１９】
また、本考案に係る杉又は桧輪切カーペット建材によれば、廃棄処分の難しいタイルカーペットを下地としてリユースし、バイオマス燃料とされてしまうことの多い杉や桧の小径間伐材を表面材に利用することで、環境負荷の低減、ＣＯ２の森林吸収の増加、ＣＯ２の固定化といった地球温暖化対策に資するという優れた効果を発揮するものである。
【図面の簡単な説明】
【００２０】
【図１】本考案に係る杉又は桧輪切カーペット建材の基本構成を説明する構成説明図である。
【図２】本考案に係る杉又は桧輪切カーペット建材を構成する各部材の配置関係を説明する配置関係説明図である。
【図３】本考案に係る杉又は桧輪切カーペット建材に板材を用いた場合の態様説明図である。
【図４】本考案に係る杉又は桧輪切カーペット建材に板材を用いた場合の各部材の配置関係を説明する配置関係説明図である。
【図５】本考案に係る杉又は桧輪切カーペット建材を用いたバリアフリー化の実施例を説明する実施例説明図である。
【考案を実施するための形態】
【００２１】
本考案に係る杉又は桧輪切カーペット建材１は、杉の間伐材等の木片１０を集合してタイルカーペットに張り付け、一つのパネル状建築資材を構成することを最大の特徴とするものである。以下、図面に基づいて説明する。なお、図面に示したものはあくまでも例示であって、特に特定した場合を除き、図面に示した寸法や大きさ、或いは形状等に限定されるものではなく、本考案の技術的思想の創作の範囲内で変更するものができるものとする。
【００２２】
図１は、本考案に係る杉又は桧輪切カーペット建材１の基本構成を説明する斜視図であり、図２は、本考案に係る杉又は桧輪切カーペット建材１を構成する各部材の配置関係を説明する配置関係説明図である。図２（ａ）は、本考案に係る杉又は桧輪切カーペット建材１の平面図であり、図２（ｂ）は側面図であり、図２（ｃ）は底面図である。
【００２３】
本考案に係る杉又は桧輪切カーペット建材１は、木片１０とタイルカーペット２０から成ることを基本構成とし、必要に応じて板材３０を用いるものである。
【００２４】
木片１０は、複数のブロック状の木材を組み合せることによって、所望する大きさのパネル状に形成できる素材であればよく、床の仕上材として求められる耐久性や強度等を有するものであれば良い。例えば、石材業において排出される同一の厚みを有した石材、一般的に市場に流通する木材、又は杉や桧の間伐材などが利用しやすいと考えられ、以下、杉や桧の間伐材から得たブロック状の木材を例にして説明する。
【００２５】
木片１０は、杉や桧の間伐材を用いることが有効であり、通常、間伐して得られる角材の木口が１０５ｍｍという特定の寸法による正方の断面を有することから、本考案に係る杉又は桧輪切カーペット建材１に利用し易い素材といえる。また、杉や桧の間伐材は利用の途が少なく、コスト的にも安価に入手でき、木製であることから生ずる副産物として人を癒す香効果が高く、調温性、調湿性、吸水性、吸音性に優れ、本考案に係る杉又は桧輪切カーペット建材１の表面材として用いることが有効な素材である。なお、木片１０は、杉や桧の間伐材に限定されるものではなく、一般的に市場に流通する木材を使用することも有効である。
【００２６】
木片集合体１５は、木片１０をタイルカーペット２０上に接触状態で列設し、所定の大きさの面積を有するパネルの上層部を形成するものである。木片１０同士の列設は、それぞれを連結する方法もあるが、タイルカーペット２０へ個々の木片１０毎に固定することにより形成する。
【００２７】
タイルカーペット２０は、木片１０を一つのパネル状に敷設するための基台となる部材である。また、使用済みの廃棄されるタイルカーペット２０を用いることにより、産業廃棄物の排出を抑制するとともに、有効活用の途を広げることが可能となる。
【００２８】
タイルカーペット２０は、基台となる樹脂製シートの上面に平織か綾織で繊維物を配置させる構成の建築用資材と同様の構成であればよく、建物のリフォームや建て替えなどの際に廃棄されるタイルカーペット２０を利用することが有効である。なお、タイルカーペット２０は、弾力性を有することから、下地材として使用することで杉又は桧輪切カーペット建材１にクッション性を与えることができる。但し、タイルカーペット２０は、廃棄物に限定されるものではなく、本考案に係る杉又は桧輪切カーペット建材１専用部材として、新たに生産することを除外するものではない。
【００２９】
タイルカーペット２０の寸法は、一般的に流通する５００ｍｍ×５００ｍｍとし、木片１０には、一般的に流通する７５角、９０角、１０５角、又は１２０角の角材を輪切りにして使用する。
【００３０】
木片集合体１５の寸法は、木片１０に７５角を使用する場合には縦横方向に７つ列設して５２５ｍｍ×５２５ｍｍとし、木片１０に９０角を使用する場合には縦横方向に６つ列設して５４０ｍｍ×５４０ｍｍとし、木片１０に１０５角を使用する場合には縦横方向に５つ列設して５２５ｍｍ×５２５ｍｍとする。
【００３１】
但し、木片１０に１２０角を使用する場合には、一般的に流通する５００ｍｍ×５００ｍｍのタイルカーペット２０の縦横それぞれ５０ｍｍずつ裁断して４５０ｍｍ×４５０ｍｍとし、１２０角を４つ列設して４８０ｍｍ×４８０ｍｍとする。このように、一般的に市場に流通するタイルカーペット２０、及び一般的に市場に流通する角材を利用することで、大量の廃タイルカーペットや小径間伐材を使用でき、加工における工程数を減らす上で好適である。
【００３２】
ステープル４０は、タイルカーペット２０と木片１０とを張り合わせるために用いる結合部材であり、釘やビス等で代用することもできる。タイルカーペット２０と木片１０の張り合わせ手段としては、湿気等による木片１０の変形で剥がれるおそれのある接着剤等の溶剤は使用せず、ステープル４０、釘、ビス等を用いて、木片１０の変形に対応させることが必要となる。
【００３３】
図３は、本考案に係る杉又は桧輪切カーペット建材１に板材３０を用いた場合の態様説明図であり、図４は、本考案に係る杉又は桧輪切カーペット建材１に板材３０を用いた場合の各部材の配置関係を説明する配置関係説明図である。図４（ａ）は本考案に係る杉又は桧輪切カーペット建材１に板材３０を用いた場合の態様の平面図であり、図４（ｂ）は側面図であり、図４（ｃ）は底面図である。
【００３４】
板材３０は、タイルカーペット２０の可撓性や、木片１０の重量等から生ずる撓みや曲げ変形等を規制し、運搬時や敷設時における作業性を向上させるために用いる部材であり、具体的には、杉板、桧板、合板、石膏ボード、生分解性樹脂等を用いることが考えられる。また、板材３０は、図３及び図４に示すように、木片１０によって構成される木片集合体１５底面とタイルカーペット２０との間、若しくはタイルカーペット２０を中間に木片集合体１５と挟持するように配置させる部材である。板材３０は、本考案において必須の要件となるものではないが、特に木片１０の厚みが薄い場合には変形が大きくなるため、係る変形を抑止し、作業の効率等に大きく貢献する部材である。
【００３５】
図５は、本考案に係る杉又は桧輪切カーペット建材１を用いたバリアフリー化の実施例を説明する実施例説明図である。図５（ａ）は、畳Ｔを床材に用いた床を示す断面図であり、図６（ｂ）は、廊下と部屋に、本考案に係る杉又は桧輪切カーペット建材１を敷き込み、建具の段差部をバリアフリー化する実施例を示す断面図である。
【００３６】
具体的には、和室に用いられる畳Ｔの厚さは約３５ｍｍ程度のものが広く用いられており、畳Ｔに替えて同等の厚みを有する杉又は桧輪切カーペットタイル１を敷き込むことで和室から洋室へのリフォームを容易とするとともに、建具の枠の段差部を解消しバリアフリー化を手軽に実現するものである。
【００３７】
なお、図には示していないが、木片１０の高さ方向の寸法を大きなものとすれば、数十ｃｍ程度の段差があっても、バリアフリー化が可能である。例えば、土間を有する民家等において、本考案に係る杉又は桧輪切カーペット建材１を使用し、土間と居住空間の間のバリアフリー化することによって、車いす等の利用と介助者等の負担を軽減することもできる。
【００３８】
また、木片１０に防腐剤加圧注入処理を施すことによって、本考案に係る杉又は桧輪切カーペット建材１を屋外に使用することも可能となる。防腐剤を木片１０の年輪面から注入すると防腐効果が非常に高く、長期に亘って屋外で使用できる杉又は桧輪切カーペット建材１とすることができる。
【産業上の利用可能性】
【００３９】
本考案に係る杉又は桧輪切カーペット建材は、屋内外を問わず、戸建住宅から大きな建築物などの床に広く利用でき、間伐材の利用を促進することで林業の活性化を図るとともに、廃タイルカーペットをリユースすることで環境保全や資源の有効活用を可能とする点において、産業上の利用可能性は高いものといえる。
【符号の説明】
【００４０】
１    杉又は桧輪切カーペット建材
１０  木片
１５  木片集合体
２０  タイルカーペット
３０  板材
４０  ステープル
Ｔ    畳
【図１】
0003211735.tif 000003
【図２】
0003211735.tif 000004
【図３】
0003211735.tif 000005
【図４】
0003211735.tif 000006
【図５】
0003211735.tif 000007
【手続補正書】
【提出日】平成29年5月30日(2017.5.30)
【手続補正１】
【補正対象書類名】実用新案登録請求の範囲
【補正対象項目名】全文
【補正方法】変更
【補正の内容】
【実用新案登録請求の範囲】
【請求項１】
杉又は桧の角材を輪切りにした複数の木片（１０）と、
タイルカーペット（２０）と、
から構成され、
前記タイルカーペット（２０）を下地材として複数の前記木片（１０）を列設することを特徴とする杉又は桧輪切カーペット建材（１）。
【請求項２】
前記タイルカーペット（２０）が廃棄されるものをリユースするものであることを特徴とする請求項１に記載の杉又は桧輪切カーペット建材（１）。
【請求項３】
前記タイルカーペット（２０）の寸法が５００ｍｍ×５００ｍｍであって、
前記木片（１０）が７５角、９０角、又は１０５角の何れかの角材から得たものであることを特徴とする請求項１又は請求項２に記載の杉又は桧輪切カーペット建材（１）。
【請求項４】
前記タイルカーペット（２０）の寸法が４５０ｍｍ×４５０ｍｍであって、
前記木片（１０）が１２０角の角材から得たものであることを特徴とする請求項１又は請求項２に記載の杉又は桧輪切カーペット建材（１）。
【請求項５】
前記タイルカーペット（２０）と前記木片（１０）とが、
前記木片（１０）の変形に対応可能とするために、接着剤を使用せず物理的なステープル（４０）、釘、ビスの何れかにより一体を成していることを特徴とする請求項１から請求項４の何れかに記載の杉又は桧輪切カーペット建材（１）。
【請求項６】
前記タイルカーペット（２０）の変形を規制するとともに厚さ調整を兼ねた板材（３０）を備えたことを特徴とする請求項１から請求項５の何れかに記載の杉又は桧輪切カーペット建材（１）。
【請求項７】
前記木片（１０）の木口面を上面に配置し、
該上面から底面までの高さ方向が前記木片（１０）の水平方向における矩形の一辺の長さよりも長い寸法を有することを特徴とする請求項１から請求項６の何れかに記載の杉又は桧輪切カーペット建材（１）。
【請求項８】
前記木片（１０）が防腐材加圧注入処理されたものであることを特徴とする請求項１から請求項７の何れかに記載の杉又は桧輪切カーペット建材（１）。